(57)【要約】【課題】本考案は、構造がシンプルで、使用しやすく、使用者の実際のニーズに応じて収納袋の数量の増減の調整をすることが可能な、收納袋の吊掛け装置を提供する。【解決手段】少なくとも一つの棒状ベルトと、少なくとも一つの收納袋とからなる。前記棒状ベルトの上端には、吊掛け構造が設けられ、棒状ベルトには、複数の吊ベルトが設けられる。各吊ベルトには、それぞれ、相互に粘着或いは分離可能な第一粘着固定部と第二粘着固定部が設けられる。前記收納袋の外側には掛孔が設けられる。前記吊ベルトを、收納袋の掛孔に通した後、さらに、第一粘着固定部と第二粘着固定部を粘着して固定し、さらに、前記吊掛け構造をドアの板或いは壁等の物体に掛けると、收納袋をしっかりとつりさげることができる。【選択図】図１
0003179916.tif 000002
【実用新案登録請求の範囲】
【請求項１】
少なくとも一つの收納袋と、少なくとも一つの棒状ベルトとからなる收納袋の吊掛け装置であって、
前記收納袋は收納空間を備え、前記收納袋の外側には、少なくとも一つの掛孔が設けられ、
前記棒状ベルトの上端には、吊掛け構造が設けられ、前記棒状ベルトには、複数の吊ベルトが設けられ、前記吊ベルトの同一面の両端には、それぞれ、相互に粘着或いは分離が可能な第一粘着固定部と第二粘着固定部が設けられ、
前記吊ベルトを前記收納袋の掛孔に通した後、前記第一粘着固定部と前記第二粘着固定部を相互に粘着させると、前記收納袋を前記吊ベルトにつりさげることができることを特徴とする、收納袋の吊掛け装置。
【請求項２】
前記吊掛け構造はフックであることを特徴とする、請求項１に記載の收納袋の吊掛け装置。
【請求項３】
前記吊掛け構造は、前記棒状ベルトの同一面における上端近くの異なる位置に設けられた、相互に粘着或いは分離可能な第一粘着固定部と第二粘着固定部であることを特徴とする、請求項１に記載の收納袋の吊掛け装置。
【考案の詳細な説明】
【技術分野】
【０００１】
本考案は、收納袋を垂直な壁面に並べてつりさげるのに便利な吊掛け構造に関する。
【背景技術】
【０００２】
従来の收納袋は、構成部材が多く構造が複雑であるため、使用する際に不便であり、しかも、製造コストが高い。また一方で、従来の收納袋は、通常、地面或いはその他の平面上に直接置くように設計されているため、場所をとってしまう。收納袋の中には、壁に或いはドアの板に掛けるように設計されているものもあるが、掛ける構造が複雑であり、しかも、使用者の実際のニーズに応じてつりさげる收納袋の数量の増減を行うことができない。
【考案の概要】
【考案が解決しようとする課題】
【０００３】
そこで、本考案は、構造がシンプルで、使用しやすく、使用者の実際のニーズに応じて収納袋の数量の増減の調整をすることが可能な、收納袋の吊掛け装置を提供することを目的とする。
【課題を解決するための手段】
【０００４】
本考案による收納袋の吊掛け装置は、少なくとも一つの棒状ベルトと、少なくとも一つの收納袋とからなる。前記棒状ベルトの上端には、吊掛け構造が設けられ、棒状ベルトには、複数の吊ベルトが設けられる。各吊ベルトには、それぞれ、相互に粘着或いは分離可能な第一粘着固定部と第二粘着固定部が設けられる。前記收納袋の外側には掛孔が設けられる。前記吊ベルトを、收納袋の掛孔に通した後、さらに、第一粘着固定部と第二粘着固定部を粘着して固定し、さらに、前記吊掛け構造をドアの板或いは壁等の物体に掛けると、收納袋をしっかりとつりさげることができる。
【０００５】
本考案における前記收納袋は、開口が上方を向いた收納空間を備え、收納袋の外側壁には、別に部材を設ける方式か、或いは、收納袋の外側壁に直接設ける方式で少なくとも一つの掛孔が形成される。
【０００６】
本考案における前記棒状ベルトの上端には、吊掛け構造が設けられる。前記棒状ベルトには、可撓性を備えた複数の吊ベルトが設けられる。前記吊ベルトの同一面の両端には、それぞれ、相互に粘着或いは分離可能な第一粘着固定部と第二粘着固定部が設けられる。それにより、吊ベルトを收納袋の掛孔に通した後、吊ベルトに設けられた第一粘着固定部と第二粘着固定部を相互に粘着させると、收納袋を吊ベルトに掛けることができる。
【図面の簡単な説明】
【０００７】
【図１】本考案の実施例１の構造の分解斜視図である。
【図２】本考案の收納袋とベルトの組み合わせた構造の実施例の一部を示した平面断面図である。
【図３】本考案における複数の收納袋を、棒状ベルトを設けたベルトにつりさげた実施例を示した斜視図である。
【図４】本考案における複数の棒状ベルトをドアの板に掛けた後、さらに、複数の收納袋を棒状ベルトの吊ベルトに掛けた実施例を示した斜視図である。
【図５】本考案の実施例２の構造の分解斜視図である。
【考案を実施するための形態】
【０００８】
（実施例１）
図１を参照する。本考案による收納袋の吊掛け装置の実施例１は、複数の棒状ベルト１と、複数の吊ベルト２と、複数の收納袋３とからなる。その内、棒状ベルト１は、可撓性と十分な強度とじん性を備える材料からなる長い棒状形である（例えば、布からなる）。棒状ベルト１の上端には、ドアの板、壁、或いは、それに類似した物体に掛けることができる吊掛け構造が設けられる。図１の実施例によると、前記吊掛け構造は、フック１１Ａである。フック１１Ａは、Ｕ形状にした剛性材料からなる。棒状ベルト１の上端は、フック１１Ａに設けられた溝孔に通した後に固定される。即ち、フック１１Ａは棒状ベルト１の上端に連結される。
【０００９】
吊ベルト２も、可撓性を備える棒状体であり、その長さは、棒状ベルト１より短く、吊ベルト２の同一側面の両端には、それぞれ、相互に粘着或いは分離可能な第一粘着固定部２１と第二粘着固定部２２が設けられる（例えば、面ファスナー）。吊ベルト２は、ミシン縫いで棒状ベルト１に固定されるとともに、棒状ベルト１上に適切な間隔を空けて排列される。吊ベルト２が棒状ベルト１に固定された後、吊ベルト２に設けられた第一粘着固定部２１と第二粘着固定部２２は外側を向く。それによって、吊ベルト２の両端を二つ折りにすると、第一粘着固定部２１が第二粘着固定部２２と向かい合い、相互に粘着される。
【００１０】
收納袋３は、軟性の材質（例えば、布）或いは剛性の材質（例えばプラスチック）からなるとともに、開口が上方を向いた收納空間３１を備える。收納袋３の外側の一面には、吊ベルト２を通すための複数の掛孔３２が設けられる。掛孔３２は、收納袋３に固定される部材からなる孔にすることもできるし、收納袋３の外側面に直接一体成型させた孔にすることもできる。
【００１１】
図２を参照する。前述した吊掛け装置の使用方法を説明する。まず吊ベルト２を收納袋３の掛孔３２に通した後、さらに、吊ベルト２の第一粘着固定部２１と第二粘着固定部２２を相互に粘着して固定させる（図３に図示）。その後、さらに、フック１１Ａをドアの板４（図４に図示）、壁、或いはそれに類似した物品に掛ける。或いは、棒状ベルト１上端のフック１１Ａを、まず、ドアの板、壁、或いはそれに類似した物体に掛けた後、さらに、收納袋３の掛孔３２に吊ベルト２を通し、その後、吊ベルト２に設けられた第一粘着固定部２１と第二粘着固定部２２を相互に粘着させて固定させる。
【００１２】
（実施例２）
図５を参照する。図５は、本考案の棒状ベルト１上端に設けた吊掛け構造の実施例２の構造を示している。本考案の実施例２は、棒状ベルト１自体の材質を直接利用して、その上端に吊掛け部１１Ｂを形成させる。この吊掛け部１１Ｂの同一面における上端近くの異なる位置には、それぞれ、相互に粘着或いは分離可能なもう一つの第一粘着固定部１２と第二粘着固定部１３が設けられる（例えば、面ファスナー）。前述した第一粘着固定部２１と１２は、同じ面ファスナーであり、前述した第二粘着固定部２２と１３は、同じ面ファスナーである。本考案を使用する際は、まず、吊ベルト２を收納袋３の掛孔３２に通した後、さらに、吊ベルト２の第一粘着固定部２１と第二粘着固定部２２を相互に粘着して固定し、その後、棒状ベルト１上端の吊掛け部１１Ｂを棒部材（図示せず）に巻き付けた後、さらに、その第一粘着固定部１２と第二粘着固定部１３を相互に粘着させて固定する。或いは、まず、棒状ベルト１上端の吊掛け部１１Ｂを棒部材に巻き付けた後、さらに、收納袋３の掛孔３２に吊ベルト２を通し、その後、吊ベルト２に設けられた第一粘着固定部２１と第二粘着固定部２２を相互に粘着させて固定させることもできる。
【符号の説明】
【００１３】
１        棒状ベルト
１１Ａ    フック
１１Ｂ    吊掛け部
１２      第一粘着固定部
１３      第二粘着固定部
２        吊ベルト
２１      第一粘着固定部
２２      第二粘着固定部
３        收納袋
３１      收納空間
３２      掛孔
４        ドアの板
【図１】
0003179916.tif 000003
【図２】
0003179916.tif 000004
【図３】
0003179916.tif 000005
【図４】
0003179916.tif 000006
【図５】
0003179916.tif 000007